(57)【要約】【課題】  有効画像領域の広い、小型な、部品点数の少ない、コストの安い、調整が容易な光偏向装置、及び画像形成装置の提供。【解決手段】  ポリゴンモータにより回転駆動されるポリゴンミラーと、該ポリゴンモータを回転駆動する駆動基板とを内装する光偏向装置において、光源と該光源から発せられた光が前記ポリゴンミラーに反射された光を検知する同期検知センサとを有する同期検知手段を有し、該同期検知手段は光偏向装置に内装され、ポリゴンミラーに反射された光の検知に基づいて書き込み開始タイミングを検出することを特徴とする光偏向装置。【選択図】        図２
2006056137.tif 000002
【特許請求の範囲】
【請求項１】
ポリゴンモータにより回転駆動されるポリゴンミラーと、該ポリゴンモータを回転駆動する駆動基板とを内装する光偏向装置において、
光源と該光源から発せられた光が前記ポリゴンミラーに反射された光を検知する同期検知センサとを有する同期検知手段を有し、該同期検知手段は光偏向装置に内装され、ポリゴンミラーに反射された光の検知に基づいて書き込み開始タイミングを検出することを特徴とする光偏向装置。
【請求項２】
前記同期検知手段は前記駆動基板に配設されていることを特徴とする請求項１に記載の光偏向装置。
【請求項３】
前記同期検知手段は前記光源から発せられた光を前記ポリゴンミラーにより反射させ、反射された光を前記同期検知センサに入光させる同期検知光学系を有することを特徴とする請求項２に記載の光偏向装置。
【請求項４】
前記同期検知手段は、前記ポリゴンミラーを囲む円筒状の内壁の内面から、前記同期検知手段の先端が円筒の直径方向に２ｍｍ以上凸及び凹とならないように配設されることを特徴とする請求項１、２、３のいずれか１項に記載の光偏向装置。
【請求項５】
前記ポリゴンモータと、前記ポリゴンミラーと、前記駆動基板と、前記同期検知手段とが、レーザービームの入出力部が開口した筐体に内装され、開口部がレーザービームを透過する透明部材で封止された密閉型であることを特徴とする請求項１、２、３、４のいずれか１項に記載の光偏向装置。
【請求項６】
画像情報に基づき変調したレーザ光を射出する半導体レーザを有する光源と、前記レーザー光を走査する請求項１、２、３、４、５のいずれか１項に記載の光偏向装置と、該光偏向装置により走査された光を集光して感光体面に投影する走査光学系と、投影された光により潜像を形成する感光体とを有する画像形成装置において、
前記光偏向装置が検知する書き込み開始タイミング情報に基づき前記変調したレーザ光を射出開始することにより、前記感光体の主走査方向の前記潜像の書き込み開始位置を合わせる制御手段を有することを特徴とする画像形成装置。
【発明の詳細な説明】
【技術分野】
【０００１】
本発明は、ポリゴンミラーを有する光偏向装置と、該光偏向装置を有するプリンタ、ファクシミリ、複写機等の画像形成装置に関する。
【背景技術】
【０００２】
複写機等の画像記録装置においては、スキャナ装置等により読み取った画像情報に基づき、レーザ光を変調し、高速回転するポリゴンミラー（回転多面鏡）に入光させ、走査された反射光を感光体面に投影して画像記録を行っている。
図１はポリゴンミラーを有した光偏向装置を用いた従来の光走査装置の１例を示す斜視図である。
【０００３】
図１（ａ）において、１は光源光学系で、半導体レーザ８０とビーム整形用光学系のコリメータレンズ８１と第１シリンドリカルレンズ８２とを有し、
２は光偏向装置で、ポリゴンミラー８３とポリゴンミラー８３の回転駆動部であるポリゴンモータ８３Ｍとポリゴンカバーガラス８４Ａとを有し、
３は走査光学系で、ｆθレンズ８４Ｂと第２シリンドリカルレンズ８５と第３ミラー８６とカバーガラス８７とを有し、
８８は感光体ドラムで、光走査装置は上記光源光学系１と光偏向装置２と走査光学系３とを有している。なお、８９は同期検知用のミラー、８９Ｓは同期検知用のセンサである。
【０００４】
半導体レーザ８０から出射したビーム光は、コリメータレンズ８１により平行光となり、第１結像光学系の第１シリンドリカルレンズ８２を経て、等速で高速回転するポリゴンミラー８３のミラー面に入射する。この反射光はポリゴンカバーガラス８４Ａを透過し、ｆθレンズ８４Ｂ、第２シリンドリカルレンズ８５から成る第２結像光学系を透過し、第３ミラー８６、カバーガラス８７を介して感光体ドラム８８の周面上に所定のスポット径で（主）結像し主走査が行われる。
【０００５】
主走査方向の１ライン毎の同期検知は、画像を走査開始する前のビームを前記ミラー８９を介して前記センサ８９Ｓに入射することによって行われる。
【０００６】
前記センサ８９Ｓは、走査光学系部分に独立して設置された、同期検知用センサ取り付け基板９０に取りつけられている。
【０００７】
かかる光走査装置４において、感光体ドラム８８上で良好な潜像を得るには、ポリゴンミラーが高精度の正多角形をなす多面鏡に作成されていて、回転軸に対して傾きなく、かつ軸方向への位置ずれがなく高速回転すること、且つ各走査において書き込み開始位置が一致していることが要求される。
【０００８】
そして、書き込み開始位置を一致させるために、上記したようにビームの一部をセンサにより検知する光偏向装置や画像形成装置が知られている（例えば、特許文献１及び２）。
【特許文献１】特開２０００−２４９９６２号公報
【特許文献２】特開平８−６８９５６号公報
【発明の開示】
【発明が解決しようとする課題】
【０００９】
かかる特許文献１及び２に記載された光偏向装置、或いはそのような光偏向装置を備えた画像形成装置では、走査光学系において走査光の一部を画像同期（インデックス）検知光として使用しているため、走査光学系３の光走査領域に対し、画像出力に使用できる有効画像領域を狭めてしまう問題がある。
【００１０】
具体的には図１（ａ）において、たとえば、３２０ｍｍの走査領域ｄが１０ｍｍの同期検知領域ｄ1を取るために、有効画像領域ｄ2が３１０ｍｍとなってしまうという問題点がある。
【００１１】
また、図１（ｂ）に示すように、たとえば、有効画像領域ｄ2を３１０ｍｍ確保した上で、印刷のためのトンボマークを印刷するためには、有効画像領域ｄ2の３１０ｍｍと、トンボマーク領域ｄ3（たとえば１０ｍｍ）と、同期検知領域ｄ1の１０ｍｍとを確保するために、これらの和である走査領域ｄ4が３３０ｍｍの広い光走査が必要で、走査領域が３２０ｍｍでは不足となり、この広い領域をカバーするシリンドリカルレンズ等の光学系を新たに作成し直さなければならないという問題点がある。
【００１２】
また、同期検知用のセンサ８９Ｓは光偏向装置２から離れた位置に設ける必要があるため、前記センサ８９Ｓ専用の取り付け基板が必要になり、且つ走査光学系と光偏向装置とが分離しているため、同期検知用のミラー８９と前記センサ８９Ｓの取り付け調整が難しいという問題点がある。
【００１３】
また、これらは光学系の開発費、新規金型の作成費等を必要とし、また、同期検知用センサの専用基板を必要とする等、装置のコストを増加させてしまうという問題点を有し、さらに装置が大型になってしまうという問題点が有る。
【００１４】
本発明は上記問題点に鑑み、有効画像領域の広い、小型な、部品点数の少ない、コストの安い、調整が容易な光偏向装置、及び画像形成装置を提供することを目的とする。
【課題を解決するための手段】
【００１５】
本発明に係る上記目的は下記請求項に記載の構成により達成される。
【００１６】
（請求項１）ポリゴンモータにより回転駆動されるポリゴンミラーと、該ポリゴンモータを回転駆動する駆動基板とを内装する光偏向装置において、
光源と該光源から発せられた光が前記ポリゴンミラーに反射された光を検知する同期検知センサとを有する同期検知手段を有し、該同期検知手段は光偏向装置に内装され、ポリゴンミラーに反射された光の検知に基づいて書き込み開始タイミングを検出することを特徴とする光偏向装置。
【００１７】
（請求項２）前記同期検知手段は前記駆動基板に配設されていることを特徴とする請求項１に記載の光偏向装置。
【００１８】
（請求項３）前記同期検知手段は前記光源から発せられた光を前記ポリゴンミラーにより反射させ、反射された光を前記同期検知センサに入光させる同期検知光学系を有することを特徴とする請求項２に記載の光偏向装置。
【００１９】
（請求項４）前記同期検知手段は、前記ポリゴンミラーを囲む円筒状の内壁の内面から、前記同期検知手段の先端が円筒の直径方向に２ｍｍ以上凸及び凹とならないように配設されることを特徴とする請求項１、２、３のいずれか１項に記載の光偏向装置。
（請求項５）前記ポリゴンモータと、前記ポリゴンミラーと、前記駆動基板と、前記同期検知手段とが、レーザービームの入出力部が開口した筐体に内装され、開口部がレーザービームを透過する透明部材で封止された密閉型であることを特徴とする請求項１、２、３、４のいずれか１項に記載の光偏向装置。
（請求項６）画像情報に基づき変調したレーザ光を射出する半導体レーザを有する光源と、前記レーザー光を走査する請求項１、２、３、４、５のいずれか１項に記載の光偏向装置と、該光偏向装置により走査された光を集光して感光体面に投影する走査光学系と、投影された光により潜像を形成する感光体とを有する画像形成装置において、
前記光偏向装置が検知する書き込み開始タイミング情報に基づき前記変調したレーザ光を射出開始することにより、前記感光体の主走査方向の前記潜像の書き込み開始位置を合わせる制御手段を有することを特徴とする画像形成装置。
【発明の効果】
【００２０】
本発明によれば次のような効果を得ることが出来る、すなわち、
請求項１及び２に記載の発明によれば、有効画像領域の広い小型な部品点数の少ないコストの安い、且つ同期検知センサの取り付け調整が容易な光偏向装置を提供することが可能となる。
【００２１】
請求項３に記載の発明によれば、同期センサの部材を樹脂で構成することにより安価な光偏向装置を提供することが可能となる。
【００２２】
請求項４に記載の発明によれば、内壁から凸形状としないことにより風切り音等を軽減し静粛な光偏向装置を提供することが可能となる。
【００２３】
請求項５に記載の発明によれば、密閉型とすることにより静粛な、ゴミの侵入等を軽減した光偏向装置を提供することが可能となる。
【００２４】
請求項６に記載の発明によれば、請求項１〜５に記した効果と共に、安定した高品質な画像形成装置を提供することが可能となる。
【発明を実施するための最良の形態】
【００２５】
以下に本発明の実施の形態を説明するが、本欄の記載は請求項の技術的範囲や用語の意義を限定するものではない。
【００２６】
図２は本発明による光偏向装置を用いた光走査装置の１例を示す斜視図である。
【００２７】
図１に示した従来の光走査装置４と異なる点は、図１に示した光偏向装置２の外部に設置された同期検知用のミラー８９と同期検知用のセンサ８９Ｓとを廃止し、同期検知用のセンサを光偏向装置内部に設置した点である。
【００２８】
図２において、８は光走査装置で、半導体レーザ８０から射出された、図示しない画像処理装置等によりデジタル化された画像情報に基づき変調されたビーム光は、コリメータレンズ８１により平行光となり、第１結像光学系の第１シリンドリカルレンズ８２を経て、等速で高速回転するポリゴンミラー８３のミラー面に入射する。
【００２９】
このミラー面により反射された反射光は光偏向装置６のポリゴンカバーガラス８４Ａを透過し、ｆθレンズ８４Ｂと第２シリンドリカルレンズ８５から成る第２結像光学系及び、第３ミラー８６、カバーガラス８７を介して、感光体ドラム８８の周面上に所定のスポット径に結像され、（主）走査される。
【００３０】
光偏向装置６は、ポリゴンミラー８３とポリゴンモータ８３Ｍとポリゴンモータ８３Ｍを回転駆動する駆動基板１０と同期検知手段４０とを内装し、その筐体に半導体レーザ８０から射出されたビーム光が出入りするポリゴンカバーガラス８４Ａを有している。
【００３１】
ここで、矢印方向に回転（副走査）する感光体ドラム８８上に形成される画像の主走査方向の基準位置Ｘは、同期検知手段４０により画像を書き込む開始位置を一致させるためのタイミング検知、即ち主走査方向の１ライン毎の同期検知に基づき各主走査ラインの開始位置が合わされる。
【００３２】
なお、同期検知手段４０は光偏向装置６に内設された駆動基板１０に設けられている。
【００３３】
ここで、ポリゴンミラー８３のミラー面から感光体ドラム８８の表面までの光路長をＬ1、書き込み開始位置の許容寸法をＸ1、ポリゴンミラー８３のミラー面から同期検知手段４０の後述する同期検知センサ４４（図３参照）の表面までの光路長をＬ2、同期検知手段４０の必要な検知精度をＸとすると、同期検知センサ４４は検知精度Ｘを満足するものを使用する。
【００３４】
ここで、検知精度Ｘは、
Ｘ＝Ｌ2×ｔａｎｔａｎ-1（Ｘ1／Ｌ1）以下の値とする。
【００３５】
たとえば、Ｌ1＝３００ｍｍ、Ｘ1＝０．１ｍｍ、Ｌ2＝１０ｍｍとすると、同期検知センサ４４は検知可能な分解能が略３μｍ以下のフォトダイオード又はＣＣＤを使用する。
【００３６】
図３は本発明の光偏向装置を側面から見た断面図である。
【００３７】
以下に、図２の光走査装置８の光偏向装置６を図３を参照して説明する。
【００３８】
光偏向装置６は、ベース板１１により図示しない装置側に固定される。
【００３９】
ポリゴンミラー８３を位置出しするフランジ１２は円筒部１３と円板部１４とを有し、円板部１４のミラー搭載の基準面１５にポリゴンミラー８３の一端面１６が当接するようにしてポリゴンミラー８３が円筒部１３に装着されている。
【００４０】
そして、他端面２３とミラー押さえ板１７との間には弾性部材１８が挿入され、フランジ１２の円筒部１３は外筒軸受１９に焼きばめ等の手段により接合されて一体化してミラーユニット２０が形成されている。
【００４１】
ミラーユニット２０は下スラスト軸受２７と上スラスト軸受２８と内筒軸受２１とを介し、光偏向装置の筐体３２の軸部２２に挿着され、ネジ２４で筐体３２に対しミラーユニット２０が回転可能に取り付けられている。また、内筒軸受２１と外筒軸受１９とは回転軸を構成し、内筒軸受２１に対して外筒軸受１９が回動可能になっている。
【００４２】
かかる構成はポリゴンミラー８３の取り付け時の倒れ角を解消し、軸心に対する精度をより確実に出すことができる。
【００４３】
筐体３２の一部にはマグネットコイル２５を取り付けた駆動基板１０が設けられている。そしてマグネットコイル２５に対向してミラー押さえ板１７に接着剤でトルク発生用の永久磁石２６が配置され、マグネットコイル２５と永久磁石２６とでポリゴンモータ８３Ｍを構成し、ポリゴンモータ８３Ｍによりポリゴンミラー８３が高速に一定回転を行っている。
【００４４】
以上の構成により図１、２に示すように、回転するポリゴンミラー８３の複数の各ミラー面９１により、光源走査系からの変調光が反射され、感光体ドラム８８に走査される。
【００４５】
以下、同期検知手段４０について図３を参照して説明する。
【００４６】
書き込み開始タイミングを検知する同期検知手段４０は同期検知手段４０に内装されており、
同期検知手段４０は、半導体レーザー等よりなる光源４３と、光源から発せられた光がポリゴンミラーにより反射され同期検知センサに入光させる同期検知光学系である、光源４３から射出されたレーザービームを平行ビームに集束し、ポリゴンミラー８３がビームを走査しているミラー面（図２の８３Ｍ）とは異なるミラー面８３Ｂ（以下単にミラー面８３Ｂと記す）に反射させ、反射したビームをフォトダイオード又はＣＣＤ等よりなる同期検知センサ４４に導く、複数のレンズ４１とミラー４２と図示しないビームスプリッターと、等を有し、駆動基板１０に配設されている。
【００４７】
また、光源４３、同期検知センサ４４、レンズ４１、ミラー４２、ハーフミラー又はビームスプリッターを保持するブラケット（図示せず）は樹脂により一体的に成形され、該ブラケットに光源４３、同期検知センサ４４、レンズ４１、ミラー４２、ハーフミラー又はビームスプリッター（図示せず）を組み込むことにより同期検知手段４０が構成される。
【００４８】
勿論、光源４３、同期検知センサ４４、レンズ４１、ミラー４２、ハーフミラー又はビームスプリッター（図示せず）の少なくとも１のブラケットは別体として、その他の一体的なブラケット（図示せず）に組み付けても良い。レンズ４１、ミラー４２も樹脂により成形しても良い。
【００４９】
以上説明したように、光偏向装置６に同期検知手段４０を内装した構成により、図１に示した同期検知用のミラー８９と同期検知用のセンサ８９Ｓとを走査領域から外すことが可能となり走査光学系を走査範囲の大きなものに替えなくとも有効画像領域を広げることが可能となる。
【００５０】
また、筐体３２にポリゴンミラー８３と同期検知手段４０とを取りつけたために、光偏向装置６単体でポリゴンミラー８３と同期検知手段４０の位置調整が可能となり、調整を容易にすることが可能となる。
【００５１】
また上述した同期検知手段４０に係る部材を一体的に樹脂成形することでコストダウンを図ることが可能となり、組み立ても容易にすることが可能となる。
【００５２】
図４は本発明の光偏向装置を上面から見た断面図である。
【００５３】
図３と同じ部材については同一部番を付してある。
【００５４】
図４（ａ）は本発明の光偏向装置を上面から見た断面図で、図４（ｂ）は図４（ａ）のポリゴンミラー８３が異なる位置に回転した部分図である。図４（ｃ）は図４（ａ）の同期検知手段４０を異なる位置に取り付けた部分図である。
【００５５】
図４（ａ）において、ポリゴンミラー８３は矢印方向に回転し、図示しない光源光学系からの変調光３０は、あるタイミングにおいて、ビーム（画像）を走査しているミラー面８３Ａで図示しない走査光学系方向に反射される。そして、ミラー面８３Ｂに対向する位置で、同期検知手段４０により書き込み開始位置／タイミングを検知している。
【００５６】
すなわち、図示しない光源光学系及び走査光学系とポリゴンミラー８３が対向する位置以外（レーザービームの出入部３１以外）の位置にずらして同期検知手段４０が設置してある。
【００５７】
この場合、ポリゴンミラー８３は厳密に正多角形になっていない場合や厳密には偏芯がある場合があり、ビームを走査するミラー面と書き込み開始タイミングを検知するミラー面との角度等は僅かに正多角形の角度から異なる可能性があり、検知した書き込み開始タイミングを実際の書き込みタイミングとして、主走査を開始すると、ミラー面の僅かな角度差等により書き込み開始位置がずれてしまう可能性がある。
【００５８】
これを補正するために、ビームを走査するミラー面と書き込み開始タイミングを検知するミラー面とのずれた面数分（例えば図示では３面分）、検知した書き込みタイミング情報をシフトする補正手段（図示せず）を有している。
【００５９】
ここで、前記補正手段はシフトレジスタあるいはタイマー等により構成され、書き込みタイミングを検知したポリゴンミラー面がレーザービームの出入部３１対向する位置に来た時に、検知した書き込みタイミング情報を出力し、出力された書き込み開始情報に基づいて画像情報のビーム走査を開始する。
【００６０】
設置スペースが許せば、レーザービームの出入部３１の光源光学系からの変調光３０を遮らない位置（例えば光源光学系からの変調光３０の照射面の上または下）に同期検知手段４０を設けても良いことは言うまでもなく、この場合は書き込み開始情報を前述したずれた面数分シフトする必要もない。
【００６１】
光偏向装置６はポリゴンモータ８３Ｍと、ポリゴンミラー８３と、ポリゴンミラー８３の図示上方に取りつけられた駆動基板（図２の１０）と、同期検知手段４０とが、レーザービーム（光源光学系からの変調光３０）の出入部３１が開口した筐体３２に内装されており、
開口部である出入部３１がレーザービームを透過するガラス或いは樹脂よりなる透明部材３３で封止されて所謂密閉型の光偏向装置を構成している。
【００６２】
これにより、ポリゴンミラーの風切り音が外部に漏れず静粛な運転を可能とすると共に、ゴミ等の侵入を防止し長期的な安定動作が可能となる。
【００６３】
また、筐体３２の一部がポリゴンミラー８３を囲む円筒状の内壁３４を形成し、内壁３４はビーム（光源光学系からの変調光３０）が通過する開口部３５と同期検知手段４の光源４３から射出されたレーザービーム３６が通過する開口部３７とを有している。開口部３５はガラス等の透明部材で封止するとなお良い。
【００６４】
同期検知手段４０は内壁３４の内面（ポリゴンミラー側表面）から、同期検知手段４の先端が円筒状の内壁の直径方向に２ｍｍ以上凸及び凹とならないように、駆動基板（図２の１０）に取りつけてある。
【００６５】
図４（ａ）は、同期検知手段４０から射出され、ミラー面８３Ｂで反射されたレーザービーム３６は同期検知手段４０に戻らず、書き込み開始タイミング情報を出力しないタイミングを示し、同期検知手段４の先端が円筒状の内壁の直径方向に２ｍｍ凹とした場合を示している。
【００６６】
図４（ｂ）は、同期検知手段４０から射出されたレーザービーム３６に対してポリゴンミラー８３のミラー面が垂直となり、同期検知手段４０から射出されたレーザービーム３６はミラー面８３Ｂで反射され、同期検知手段４０に戻る位置に回転した状態を示しており、同期検知センサ４４（図３参照）によりレーザービーム３６が検知され、書き込み開始タイミング情報を前述した補正手段に出力する。そして補正手段は書き込み開始タイミングを検知したミラー面８３Ｂが出入部３１に移動するまで書き込み開始タイミング情報をシフトして出力する。
【００６７】
図４（ｃ）は、同期検知手段４の先端が円筒状の内壁の直径方向にほぼ沿った場合（±０ｍｍ）を示しており、その他は図４（ａ）（ｂ）と同様のため説明を省略する。
【００６８】
ここで、同期検知手段４０は、ポリゴンミラー８３と反対側に開口部３７から所定距離離間して駆動基板（図２の１０）に取りつけても良い（図示せず）。この場合は開口部３７はガラス等の透明部材で封止するとなお良い。
【００６９】
以上、ポリゴンミラー８３にレーザービーム３６を正反射（垂直）させて書き込み開始タイミングを検知する構成について説明したが、斜め反射（入射光と反射光が等角度）させて書き込み開始タイミングを検知させても良いことは言うまでもない。
【００７０】
図５は本発明の光偏向装置を装着した画像形成装置の概念図である。
【００７１】
本発明の画像形成装置は、画像情報に基づき変調したレーザ光を射出する半導体レーザを有する光源と、レーザー光を走査する光偏向装置と、該光偏向装置により走査された光を集光して感光体面に投影する走査光学系と、投影された光により潜像を形成する感光体を有し、上述した光偏向装置が検知する書き込み開始タイミング情報に基づき、変調したレーザ光を射出開始することにより、感光体の主走査方向の前記潜像の書き込み開始位置を合わせるもので、以下図５を参照して、上述した光偏向装置６を備えた光走査装置８を有する画像形成装置９について説明する。
【００７２】
自動原稿搬送装置５０の給紙皿５１には原稿Ｄが積載され、
原稿Ｄは、送り出しローラ対５２により、給紙皿５１から送り出され、分離給送ローラ対５３によりレジストローラ対５４へ搬送され、読取部Ｒへの原稿Ｄの給紙タイミングを調整する。
【００７３】
レジストローラ対５４から排出された原稿Ｄは、回転する大径の搬送ドラム５５の外周面に沿って搬送され、読取部Ｒを通過する。
【００７４】
読取部Ｒを通過した原稿Ｄは原稿読み取り装置６０により原稿の画像が読み取られ、片面読み取りの場合は排紙皿５６上に排出されるように搬送され、両面読取の場合は、反転搬送されて再度読取部Ｒを経由してから排紙皿５６上に排紙される。
【００７５】
ここで、原稿読み取り装置６０は光源６１、ミラーユニット６２、結像レンズ６３、撮像素子６４を有し、例えば静止光学系型読取動作で読取り部Ｒを通過する原稿Ｄの画像を読取る際には、光源６１は読取部Ｒ通過する原稿Ｄを照明し、原稿Ｄの反射光Ｌは及びミラーユニット６２及び結像レンズ６３を通過して、撮像素子６４に結像される。
【００７６】
撮像素子６４はライン状のＣＣＤからなり、原稿Ｄで反射した光を１画素毎に光電変換する。
【００７７】
給紙部６５は、給紙カセット６６に転写紙Ｐを積載していて、重送防止機構を備える給紙ローラ６７で転写紙Ｐを一枚ずつ給紙経路６８に搬入する。
【００７８】
この給紙経路６８は画像形成部の上流に配置され、レジストローラ６９を有している。
【００７９】
画像形成部７０は、感光体ドラム８８、帯電用電極７２、現像ユニット７３、転写用電極７４、分離用電極７５を有している。
【００８０】
感光体ドラム８８が矢印の向きに回転していて帯電用電極７２により一様の電位が付与され、原稿読み取り装置６０で読みまれたデジタル画像データに基づき前述した光走査装置８により回転中の感光体ドラム８８の表面を主走査し、原稿Ｄに対応した静電潜像を形成する。ついで前記静電潜像を現像ユニット７３により顕像化し、感光体ドラム８８の表面にトナー像を現像する。
【００８１】
光走査装置８の光偏向装置６の駆動基板１０に設置された同期検知手段４０により検知される主走査１ライン毎の書き込み開始タイミング情報により、原稿読み取り装置６０で読みまれた１ライン分のデジタル画像データが読み出され、
読み出されたデジタル画像データに基づいて図示しない光源光学系により変調されたレーザビームが、ポリゴンモータ８３Ｍにより一定高速回転するポリゴンミラー８３で反射され（主走査され）、ｆθレンズ８４Ａ、８４Ｂ、第２シリンドリカルレンズ８５、第３ミラー８６を経て感光体ドラム８８の表面に１ライン分の当該画像を露光する。
【００８２】
そして、ポリゴンミラー８３の回転に伴い次々に検知される書き込み開始タイミング情報により、原稿読み取り装置６０で読みまれたデジタル画像データが１ライン毎に次々に読み出され、原稿読み取り装置６０で読みまれた原稿Ｄのデジタル画像を形成する。
【００８３】
また、図示しない光源光学系の１ライン毎のレーザビームの出力開始タイミングは、同期検知手段４０により検知される書き込み開始タイミング情報に基づいて１ライン毎に行われる。
【００８４】
ここで、図４で説明したように、光源光学系及び走査光学系とポリゴンミラー８３が対向する位置以外（レーザービームの出入部３１以外）の位置にずらして同期検知手段４０が設置してある場合、ビームを走査するミラー面と書き込み開始タイミングを検知するミラー面とのずれた面数分（例えば図示では３面分）、検知した書き込みタイミング情報をシフトする補正制御を行う。
【００８５】
以下説明を元に戻し、レジストローラ６９が感光体ドラム８８の上に形成されたトナー像の回転に同期して駆動されて、転写紙Ｐは転写域（転写用電極７４部）に送り込まれる。
【００８６】
転写域に送り込まれた転写紙Ｐに感光体ドラム８８に形成されたトナー像の転写がなされ、その後、転写紙Ｐは分離用電極７５と分離爪（図示せず）により感光体ドラム８８から分離され、更に定着ユニット７７に搬送され定着が行われ、画像形成装置外へ排紙される。
【００８７】
そしてクリーニングユニット７６が、転写後の感光体ドラム８８の表面を清掃して、異物や残留トナー等を除去する。
【００８８】
残留トナーが除去されると、再度帯電用電極７２が次の複写動作に備えて感光体ドラム８８の表面を帯電させる。
【００８９】
以上説明した動作の制御は図示しない制御手段により行われる。
【図面の簡単な説明】
【００９０】
【図１】ポリゴンミラーを有した光偏向装置を用いた従来の光走査装置の１例を示す斜視図である。
【図２】本発明による光偏向装置を用いた光走査装置の１例を示す斜視図である。
【図３】本発明の光偏向装置を側面から見た断面図である。
【図４】本発明の光偏向装置を上面から見た断面図である。
【図５】本発明の光偏向装置を装着した画像形成装置の概念図である。
【符号の説明】
【００９１】
１  光源光学系
６  光偏向装置
７  走査光学系
８  光走査装置
９  画像形成装置
１０  駆動基板
３０  光源光学系からの変調光
３１  出入部
３２  筐体
３３  透明部材
３４  内壁
３５  開口部
４０  同期検知手段
４１  レンズ
４２  ミラー
４３  光源
４４  同期検知センサ
８３  ポリゴンミラー
８３Ａ  ビームを走査しているミラー面
８３Ｂ  ミラー面
８３Ｍ  ポリゴンモータ
８８  感光体ドラム
【図１】
2006056137.tif 000003
【図２】
2006056137.tif 000004
【図３】
2006056137.tif 000005
【図４】
2006056137.tif 000006
【図５】
2006056137.tif 000007